(57)【要約】【課題】  接床部材を大型化することなく、床面からの接床部材の上昇を阻止することができるとともに、簡単な操作で接床部材の設置位置の微調節を行うことができ、しかも、アジャスタボルトの回り止めを図ることもできるようにした間仕切パネルの高さ調節装置を提供する。【解決手段】  間仕切パネル１の下端部に設けた上下方向を向くねじ孔１４に、接床部材１７の上面に立設したアジャスタボルト１６を螺合してなる間仕切パネル１の高さ調節装置において、基端部を床面２に止着した押え板２０の遊端部を、上方に弾性撓曲させて、接床部材１７に上方より係止させる。【選択図】  図３
2006265876.tif 000002
【特許請求の範囲】
【請求項１】
間仕切パネルの下端部に設けた上下方向を向くねじ孔に、接床部材の上面に立設したアジャスタボルトを螺合してなる間仕切パネルの高さ調節装置において、
基端部を床面に止着した押え板の遊端部を、上方に弾性撓曲させて、前記接床部材に上方より係止させたことを特徴とする間仕切パネルの高さ調節装置。
【請求項２】
押え板の遊端部が接床部材の外周の上端角部に当接し、かつ押え板の基端部が床面に当接して、押え板が遊端部が基端部より上位となる斜めとして、基端部をアンカーボルトをもって床面に締着したことを特徴とする請求項１記載の間仕切パネルの高さ調節装置。
【請求項３】
押え板の遊端部に係合孔を設け、この係合孔にアジャスタボルトを嵌合したことを特徴とする請求項１または２記載の間仕切パネルの高さ調節装置。
【請求項４】
押え板を接床部材の外周の上端角部に当接して斜めとしたとき、係合孔の一部がアジャスタボルトの側面に圧接するようにしたことを特徴とする請求項３記載の間仕切パネルの高さ調節装置。
【請求項５】
間仕切パネルの下端部に設けた上下方向を向くねじ孔に、接床部材の上面に立設したアジャスタボルトを螺合してなる間仕切パネルの高さ調節装置において、
平板状の押え板の遊端部に設けた係合孔にアジャスタボルトを嵌合し、前記係合孔における押え板の遊端部寄りの上縁とそれに対向する押え板の基端部寄りの下縁とがアジャスタボルトの外周面にそれぞれ圧接するように、押え板を遊端部が基端部より上位となる斜めとし、かつ押え板の基端部を、アンカーボルトをもって床面に止着したことを特徴とする間仕切パネルの高さ調節装置。
【請求項６】
押え板の遊端部に、押え板の長手方向とほぼ直交する方向を向き、一端が係合孔に連通するとともに、他端が押え板の側縁に開口し、かつアジャスタボルトが通過しうる幅を有する通口を設けたことを特徴とする請求項３〜５のいずれかに記載の間仕切パネルの高さ調節装置。
【発明の詳細な説明】
【技術分野】
【０００１】
本発明は、間仕切パネルの高さ調節装置に関する。
【背景技術】
【０００２】
従来の間仕切パネルの高さ調節装置には、間仕切パネルの下端に設けた上方を向くねじ孔に、接床部材の上面に立設したアジャスタボルトを螺合し、このアジャスタボルトを回転させることにより、間仕切パネルの高さを調節しうるようにしたものがある(例えば特許文献１参照)。
【０００３】
また、接床部材の移動を防止するため、接床部材をコンクリート釘をもって床面に固着したものもある(例えば特許文献２参照)。
【特許文献１】特許第２８７３５６６号公報
【特許文献２】実開昭５５−７６３３１号公報
【発明の開示】
【発明が解決しようとする課題】
【０００４】
特許文献１に記載されているものにおいては、地震や他物との衝突時に、接床部材が床面から浮き上がって、間仕切パネルが傾倒したり、位置ずれしたりするおそれがある。
【０００５】
特許文献２に記載されているものにおいては、上記のようなおそれはないが、接床部材が大型となって、間仕切パネルの下端から外部に露呈し、見栄えが悪いだけでなく、一旦接床部材を床面に固着すると、接床部材の位置をわずかでも変更することが困難であり、無理に変更すると、床面にコンクリート釘の打設痕が残り、見苦しくなる。
【０００６】
本発明は、従来の技術が有する上記のような問題点に鑑み、接床部材を大型化することなく、床面からの接床部材の上昇を阻止することができるとともに、簡単な操作で、接床部材の設置位置の微調節を行うことができ、しかも、アジャスタボルトの回り止めを図ることもできるようにした間仕切パネルの高さ調節装置を提供することを目的としている。
【課題を解決するための手段】
【０００７】
本発明によると、上記課題は、次のようにして解決される。
（１）間仕切パネルの下端部に設けた上下方向を向くねじ孔に、接床部材の上面に立設したアジャスタボルトを螺合してなる間仕切パネルの高さ調節装置において、基端部を床面に止着した押え板の遊端部を、上方に弾性撓曲させて、前記接床部材に上方より係止させる。
【０００８】
（２）上記(１)項において、押え板の遊端部が接床部材の外周の上端角部に当接し、かつ押え板の基端部が床面に当接して、押え板が遊端部が基端部より上位となる斜めとして、基端部をアンカーボルトをもって床面に締着する。
【０００９】
（３）上記(１)または(２)項において、押え板の遊端部に係合孔を設け、この係合孔にアジャスタボルトを嵌合する。
【００１０】
（４）上記(２)または(３)項において、押え板を接床部材の外周の上端角部に当接して斜めとしたとき、係合孔の一部がアジャスタボルトの側面に圧接するようにする。
【００１１】
（５）間仕切パネルの下端部に設けた上下方向を向くねじ孔に、接床部材の上面に立設したアジャスタボルトを螺合してなる間仕切パネルの高さ調節装置において、平板状の押え板の遊端部に設けた係合孔にアジャスタボルトを嵌合し、前記係合孔における押え板の遊端部寄りの上縁とそれに対向する押え板の基端部寄りの下縁とがアジャスタボルトの外周面にそれぞれ圧接するように、押え板を遊端部が基端部より上位となる斜めとし、かつ押え板の基端部を、アンカーボルトをもって床面に止着する。
【００１２】
（６）上記(３)〜(５)項のいずれかにおいて、押え板の遊端部に、押え板の長手方向とほぼ直交する方向を向き、一端が係合孔に連通するとともに、他端が押え板の側縁に開口し、かつアジャスタボルトが通過しうる幅を有する通口を設ける。
【発明の効果】
【００１３】
本発明によると、次のような効果を奏することができる。
(１)  請求項１記載の発明によると、押え板の基端部を床面に止着し、かつ押え板の遊端部を、上方に弾性撓曲させて、接床部材に上方より係止させたので、接床部材を大型化することなく、床面からの接床部材の上昇を簡単かつ確実に阻止することができ、間仕切パネルの傾倒や位置ずれを確実に防止することができる。
また、アンカーボルトを緩めるという簡単な操作で、接床部材の位置の微調節を行うことができる。
【００１４】
(２)  請求項２記載の発明によると、押え板の遊端部が接床部材の外周の上端角部に当接し、かつ押え板の基端部が床面に当接して、押え板が遊端部が基端部より上位となる斜めとして、基端部をアンカーボルトをもって床面に締着したので、押え板の弾性を利用して、接床部材を床面に強く押し付けることができるとともに、アンカーボルトを少し緩めて、押え板をアンカーボルトを中心として若干回動させることにより、押え板を接床部材から簡単に外すことができる。
【００１５】
(３)  請求項３記載の発明によると、押え板の一端部に係合孔を設け、この係合孔にアジャスタボルトを嵌合したので、地震時や間仕切パネルへの他物の衝突時等においても、アジャスタボルトおよび接床部材が、アンカーボルトから離れることがなく、間仕切パネルの傾倒や位置ずれを防止することができる。
【００１６】
(４)  請求項４記載の発明によると、押え板の係合孔の一部がアジャスタボルトの側面に圧接することにより、アジャスタボルトの回り止めを図ることができ、振動等により、アジャスタボルトが不意に回転して、間仕切パネルの高さが意に反して変動するのを防止することができる。
【００１７】
(５)  請求項５記載の発明によると、押え板を、接床部材に当接させることなく、その係合孔に嵌合したアジャスタボルトに対して斜めにすることにより、係合孔における押え板の遊端部寄りの上縁とそれに対向する押え板の基端部寄りの下縁とがアジャスタボルトの外周面にそれぞれ圧接して、押え板がアジャスタボルトに係止され、その状態で押え板の基端部を、アンカーボルトをもって床面に止着することにより、アジャスタボルトが強力に回り止めされるとともに、アジャスタボルトの上昇が確実に阻止され、間仕切パネルの傾倒や位置ずれを確実に防止することができる。
また、アンカーボルトを少し緩めるだけで、押え板とアジャスタボルトとの係止状態を簡単に解除することができ、その状態でアジャスタボルトを回転させて、間仕切パネルの高さを調節することができるとともに、接床部材の設置位置の微調節を行うことができる。
【００１８】
(６)  請求項６記載の発明によると、アジャスタボルトを間仕切パネルのねじ孔に螺合させた後においても、アジャスタボルトを押え板の通口を通して係合孔に係合させることができるので、押え板をアジャスタボルトに予め装着しておく必要がなく、作業性がよい。
【発明を実施するための最良の形態】
【００１９】
本発明の一実施形態を、添付図面を参照して説明する。
図１〜図４は、本発明の第１の実施形態を備える間仕切パネルの一例を示す。
図１には、３枚の間仕切パネル(１)を左右方向に並べて床面(２)上に配設した状態を示してあり、以下、その中央の間仕切パネル(１)について説明する。
図１および図２に示すように、この間仕切パネル(１)は、アルミニュウム軽合金からなる中空角管状の左右１対の側部フレーム(３)(３)と、それらの上端部同士を連結する上部フレーム(４)と、左右の側部フレーム(３)(３)の下端部同士を連結するとともに、下方に向かって開口する側面視下向きコ字状をなす左右方向を向く下部フレーム(５)と、上部フレーム(４)と下部フレーム(５)との間において、左右の側部フレーム(３)(３)の中間部同士を連結する補強杆(６)(６)とを備えるフレーム(７)を備えている。
【００２０】
左右の側部フレーム(３)(３)の対向面には、上下１対の受金具(８)(８)が、固定ねじ(９)をもって固着されており、この受金具(８)(８)に、フレーム(７)の前後面を覆う化粧パネル(10)(10)の背面両側部に設けた下向き鉤形のフック(11)(11)を係止させることにより、フレーム(７)の前後面に、化粧パネル(10)(10)が着脱自在に係止されている。
【００２１】
図１〜図３に示すように、下部フレーム(５)の左右両端部内側には、下方に向かって開口する側面視下向きコ字状の補強部材(12)(12)が嵌合固着されており、各補強部材(12)には、高さ調節装置(13)が装着されている。
【００２２】
高さ調節装置(13)は、補強部材(12)の上片(12a)に設けた上下方向を向くねじ孔(14)に螺合されるとともに、下部フレーム(５)におけるねじ孔(14)の直上部に設けた挿通孔(15)へ挿通された上下方向を向くアジャスタボルト(16)と、その下端に一体的に形成された円板状の接床部材(17)とからなるアジャスタ(18)を備えている。
【００２３】
アジャスタボルト(16)の上端には、切溝(19)が設けられており、この切溝(19)に工具を係合させて、フレーム(７)の内側においてアジャスタボルト(14)を回転させることにより、フレーム(７)の高さを調節することができるようになっている。
【００２４】
接床部材(17)は、円形だけでなく、正方形その他の非円形として、その中央にアジャスタボルト(16)を立設したものとしてもよく、また、アジャスタボルト(16)に対して、その軸線回りに回転自在としておくこともある。
【００２５】
アジャスタボルト(16)における接床部材(17)と補強部材(12)の上片(12a)との間には、左右方向に長い金属製の平板状をなす押え板(20)における図３の左方の端部である遊端部に設けた係合孔(21)が、アジャスタボルト(16)をねじ孔(14)に螺合する前に、予め嵌合されている。
【００２６】
押え板(20)における図３の右方の端部である基端部には、挿通孔(22)が設けられており、この挿通孔(22)に挿通したアンカーボルト(23)を床面(２)に打設することにより、押え板(20)は、その中間部が接床部材(17)の外周の上端角部に当接し、かつ基端部が床面(２)に当接して、遊端部が基端部より上位となる斜めに傾斜した状態で、床面(２)に止着され、押え板(20)の中間部は、若干上方に弾性撓曲して、接床部材(17)の上面に係止し、これを床面(２)に押し付けている。
【００２７】
これによって、接床部材(17)が床面(２)から上昇したり、位置ずれしたりするのが阻止され、間仕切パネルの傾倒や位置ずれを確実に防止することができる。
また、押え板(20)の係合孔(21)がアジャスタボルト(16)に嵌合していることにより、地震時や間仕切パネル(１)への他物の衝突時等においても、アジャスタ(18)が、アンカーボルト(23)から離れることがなく、間仕切パネル(１)の傾倒や位置ずれを防止することができる。
【００２８】
また、アンカーボルト(23)を床面(２)に強く締め付けると、図４に示すように、押え板(20)がさらに弾性撓曲して、その遊端部が上向きに反り上がり、係合孔(21)の右下縁と左上縁とのいずれか一方または両方が、アジャスタボルト(16)の外周面に圧接し、アジャスタボルト(16)が回り止めされる。この状態では、振動等により、アジャスタボルト(16)が不意に回転して、間仕切パネル(１)の高さが意に反して変動するのが防止される。
【００２９】
図３および図４に示す状態から、アンカーボルト(23)をわずかに緩めるだけで、アジャスタボルト(16)の回り止め作用が解除され、アジャスタボルト(16)を自由に回転させて、間仕切パネル(１)の高さを調節することができるとともに、接床部材(17)の設置位置の微調節を行うことができる。
【００３０】
図３に示すように、アンカーボルト(23)の打設位置の直上における補強部材(12)の上片(12a)の右側端部および下部フレーム(５)には、アンカーボルト(23)の打設作業のための平面視Ｕ上の切欠き(24)、および円形の作業孔(25)が設けられている。
【００３１】
図１〜図３に想像線で示すように、床面(２)上に、上向きコ字状をなす幅木(26)を設置し、その上に間仕切パネル(１)を配設する場合には、アジャスタ(18)および押え板(20)を幅木(26)内に配設するとともに、幅木(26)が下部フレーム(５)の内側に嵌合するようにして、フレーム(７)を配設する。
このようにすると、アジャスタ(18)および押え板(20)が外部に露呈することがないので体裁がよく、またアンカーボルト(23)を、幅木(26)の底壁を貫通させて床面(２)に打設することにより、幅木(26)も押え板(20)とともに床面(２)にアンカーすることができるという利点がある。
【００３２】
図５は、本発明の第２の実施形態を示す。
この実施形態では、第１の実施形態におけるのと同一の構成部材を用いているので、各構成部材を第１の実施形態におけるのと同一の符号を付して図示するに止め、それらについての詳細な説明は省略する。
【００３３】
この実施形態においては、押え板(20)における係合孔(21)の右方の下縁と、それに対向する左方の上縁とが、アジャスタボルト(16)の外周面にそれぞれ圧接するようにして、押え板(20)の左端部が右端部より上位となる斜めとし、かつ押え板(20)の中間部が接床部材(17)と当接することなく、押え板(20)の右端部を、アンカーボルト(23)をもって床面(２)に固着してある。
【００３４】
このような構成とすると、押え板(20)における係合孔(21)の右方の下縁と、それに対向する左方の上縁とがアジャスタボルト(16)の外周面にそれぞれ圧接して、押え板(20)がアジャスタボルト(16)に係止され、その状態で押え板(20)の右端部を、アンカーボルト(23)をもって床面(２)に固着したことにより、アジャスタボルト(16)が強力に回り止めされるとともに、アジャスタボルト(16)の上昇が確実に阻止され、間仕切パネル(１)の傾倒や位置ずれを確実に防止することができる。
【００３５】
また、アンカーボルト(23)を少し緩めるだけで、押え板(20)とアジャスタボルト(16)との係止状態を簡単に解除することができ、その状態でアジャスタボルト(16)を回転させて、間仕切パネル(１)の高さを調節することができるとともに、接床部材(17)の設置位置の微調節を行うことができる。
【００３６】
図６は、本発明の第３の実施形態を示す。
この実施形態では、第１および第２の実施形態におけるのと同様の押え板(20)の左端部に、押え板(20)の長手方向とほぼ直交する方向を向き、一端が係合孔(21)に連通するとともに、他端が押え板(20)の側縁に開口し、かつアジャスタボルト(16)が通過しうる幅を有する通口(27)を設けてある。
【００３７】
このような構成とすると、アジャスタボルト(16)を補強部材(12)のねじ孔(14)に螺合させた後においても、アジャスタボルト(16)を押え板(20)の通口(27)を通して係合孔(21)に係合させることができるので、押え板(20)をアジャスタボルト(16)に予め装着しておく必要がなく、作業性がよい。
【００３８】
以上、本発明の３つの実施形態について説明したが、特許請求の範囲を逸脱しない範囲内で、上記実施形態に種々の変形や変更を施すことも可能である。
例えば、第１の実施形態における押え板(20)の係合孔(21)を含む左端部を切除し、切除した残りの押え板(20)の左端部で、接床部材(17)の外周部の上端縁を下方に向かって押圧するようにしてもよい。
【図面の簡単な説明】
【００３９】
【図１】本発明の第１の実施形態を備える間仕切パネルの一例を示す正面図である。
【図２】同じく、図１のII−II線に沿う縦断側面図である。
【図３】同じく、図２のIII−III線に沿う拡大縦断正面図である。
【図４】同じく、図３の状態からアンカーボルトをさらに締め付けたときの状態を示す図３と同様の縦断正面図である。
【図５】本発明の第２の実施形態を備える間仕切パネルの要部の拡大縦断正面図である。
【図６】本発明の第３の実施形態において用いる押え部材の斜視図である。
【符号の説明】
【００４０】
(１)間仕切パネル
(２)床面
(３)側部フレーム
(４)上部フレーム
(５)下部フレーム
(６)補強杆
(７)フレーム
(８)受金具
(９)固定ねじ
(10)化粧パネル
(11)フック
(12)補強部材
(12a)上片
(13)高さ調節装置
(14)ねじ孔
(15)挿通孔
(16)アジャスタボルト
(17)接床部材
(18)アジャスタ
(19)切溝
(20)押え板
(21)係合孔
(22)挿通孔
(23)アンカーボルト
(24)切欠き
(25)作業孔
(26)幅木
(27)通口
【図１】
2006265876.tif 000003
【図２】
2006265876.tif 000004
【図３】
2006265876.tif 000005
【図４】
2006265876.tif 000006
【図５】
2006265876.tif 000007
【図６】
2006265876.tif 000008